(57)【要約】【課題】サッシの納まりが綺麗であり、かつ、雨水等の浸入を抑えることが可能なサッシ取付部材及びサッシユニットを提供する。【解決手段】屋内外を連通する開口に設けられるサッシを取り付けるサッシ取付部材であって、前記開口を形成する躯体の屋外側に設けられて外壁を構成する外壁構成部材と前記躯体との間に介在される外壁側片と、前記外壁側片と繋がって前記外壁構成部材と隣接して配置されるとともに当該外壁構成部材より屋外側に突出された本体部と、前記本体部から突出させて前記外壁側片と反対側に設けられて前記サッシが固定されるサッシ固定部と、を有する。【選択図】図２
2011106107.tif 000002
【特許請求の範囲】
【請求項１】
屋内外を連通する開口に設けられるサッシを取り付けるサッシ取付部材であって、
前記開口を形成する躯体の屋外側に設けられて外壁を構成する外壁構成部材と前記躯体との間に介在される外壁側片と、
前記外壁側片と繋がって前記外壁構成部材と隣接して配置されるとともに当該外壁構成部材より屋外側に突出された本体部と、
前記本体部から突出させて前記外壁側片と反対側に設けられて前記サッシが固定されるサッシ固定部と、
を有することを特徴とするサッシ取付部材。
【請求項２】
請求項１に記載のサッシ取付部材であって、
前記外壁側片は、ビスにて屋外側から躯体に固定されており、
固定された前記外壁側片と前記躯体とに跨って、屋外側から防水テープが貼着されることを特徴とするサッシ取付部材。
【請求項３】
請求項１または請求項２に記載のサッシ取付部材であって、
前記サッシが前記本体部に屋内側からビスにて固定され、前記本体部が前記躯体に屋外側からビスにて固定されており、
前記サッシと共に取り外されることを特徴とするサッシ取付部材。
【請求項４】
請求項３に記載のサッシ取付部材であって、
前記外壁構成部材は、外壁パネル及び外壁パネルと当該取付部材との間をシールするシール部材とを有し、
前記外壁側片の屋外側には、前記シール部材が設けられていることを特徴とするサッシ取付部材。
【請求項５】
請求項１または請求項２に記載のサッシ取付部材であって、
前記サッシは、前記サッシ固定部に屋外側からビスにて固定されていることを特徴とするサッシ取付部材。
【請求項６】
請求項１乃至請求項５のいずれかに記載のサッシ取付部材と、
前記サッシ取付部材により取り付けられる前記サッシと、
を有することを特徴とするサッシユニット。
【発明の詳細な説明】
【技術分野】
【０００１】
本発明は、屋内外を連通する開口に設けられるサッシを取り付けるサッシ取付部材及びサッシ取付部材を有するサッシユニットに関する。
【背景技術】
【０００２】
屋内外を連通する開口に設けられるサッシを取り付けるサッシ取付部材及びサッシ取付部材を有するサッシユニットとしては、例えば建物の開口部にサッシを取り付けるための補助枠、及び、補助枠とサッシとを有するサッシユニットが知られている（例えば、特許文献１参照）。
【先行技術文献】
【特許文献】
【０００３】
【特許文献１】特許第３３２３７６号明細書
【発明の概要】
【発明が解決しようとする課題】
【０００４】
上記のような補助枠及びサッシユニットは、補助枠が外壁材の端部に当接されて取り付けられ、補助枠が有する、開口側に突出する中空部にサッシが固定されるように構成されている。このため、外壁の端部は補助枠に当接されているだけなので、外壁と補助部材との間に隙間が生じたり、境界部分から外壁の端部が見えて、美観が損なわれると共に、雨水等の水分が補助枠を伝って躯体側に浸入しやすいという課題がある。
【０００５】
本発明は、かかる課題に鑑みてなされたものであり、その目的とするところは、サッシの納まりが綺麗であり、かつ、雨水等の浸入を抑えることが可能なサッシ取付部材及びサッシユニットを提供することにある。
【課題を解決するための手段】
【０００６】
かかる目的を達成するために本発明のサッシ取付部材は、屋内外を連通する開口に設けられるサッシを取り付けるサッシ取付部材であって、前記開口を形成する躯体の屋外側に設けられて外壁を構成する外壁構成部材と前記躯体との間に介在される外壁側片と、前記外壁側片と繋がって前記外壁構成部材と隣接して配置されるとともに当該外壁構成部材より屋外側に突出された本体部と、前記本体部から突出させて前記外壁側片と反対側に設けられて前記サッシが固定されるサッシ固定部と、を有することを特徴とするサッシ取付部材である。
【０００７】
このようなサッシ取付部材によれば、外壁構成部材と隣接して配置されるとともに外壁構成部材より屋外側に突出された本体部を有しているので、外壁構成部材の開口側の端部は、本体部により覆われて外部から見えにくくなる。このため、サッシ取付部材を介してサッシが取り付けられた開口とサッシ取付部材との境界部分の納まりが綺麗である。また、躯体の屋外側に設けられた外壁構成部材と躯体との間に介在される外壁側片が、外壁構成部材と隣接して配置されるとともに外壁構成部材より屋外側に突出された本体部と繋がっているので、本体部と外壁構成部材との間を浸入する水等が躯体に至ることを抑えることが可能である。このため、サッシの納まりが綺麗であり、かつ、雨水等の浸入を抑えることが可能なサッシ取付部材を提供することが可能である。
【０００８】
かかるサッシ取付部材であって、前記外壁側片は、ビスにて屋外側から躯体に固定されており、固定された前記外壁側片と前記躯体に跨って、屋外側から防水テープが貼着されることが望ましい。  
このようなサッシ取付部材によれば、外壁側片がビスにて屋外側から躯体に固定されるので、強固にサッシ取付部材を外壁に取り付けることが可能である。そして、固定された外壁側片と躯体に跨って、屋外側から防水テープが貼着されるので、防水テープをビスが貫通したり、サッシ取付部材を躯体に固定するビスにより防水テープが損傷する虞がない。このため、サッシ取付部材に沿って水等が躯体側に浸入することをより確実に防止することが可能である。
【０００９】
かかるサッシ取付部材であって、前記サッシが前記本体部に屋内側からビスにて固定され、前記本体部が前記躯体に屋外側からビスにて固定されており、前記サッシと共に取り外されることが望ましい。  
このようなサッシ取付部材によれば、サッシが本体部に屋内側からビスにて固定され、本体部が躯体に屋外側からビスにて固定されているので、屋外側からビスを外すことにより、サッシ取付部材とともにサッシを容易に取り外すことが可能である。
【００１０】
かかるサッシ取付部材であって、前記外壁構成部材は、外壁パネル及び外壁パネルと当該サッシ取付部材との間をシールするシール部材とを有し、前記外壁側片の屋外側には、前記シール部材が設けられていることが望ましい。  
このようなサッシ取付部材によれば、外壁側片は外壁構成部材と躯体との間に介在されているが、外壁側片の屋外側に設けられている外壁構成部材は、シール部材なので、雨水等の浸入を防止することが可能である。また、サッシ取付部材を取り外す際には、シール部材を取り除くことにより容易にサッシ取付部材を取り外すことが可能である。また、新たにサッシを取り付ける際には、サッシが固定されたサッシ取付部材を躯体に取り付けた後に、外壁側片の屋外側にシール材を充填することにより、きれいな納まりに仕上げることが可能である。
【００１１】
かかるサッシ取付部材であって、前記サッシは、前記サッシ固定部に屋外側からビスにて固定されていることが望ましい。  
このようなサッシ取付部材によれば、サッシが屋外側からビスにて固定されるサッシ固定部は本体部から開口側に突出されているので、サッシを単体で屋外側から容易に着脱することが可能である。
【００１２】
また、前記サッシ取付部材と、前記サッシ取付部材により取り付けられる前記サッシと、を有することを特徴とするサッシユニットである。  
このようなサッシユニットによれば、サッシの納まりが綺麗であり、かつ、雨水等の浸入を抑えることが可能なサッシユニットを提供することが可能である。
【発明の効果】
【００１３】
本発明によれば、サッシの納まりが綺麗であり、かつ、雨水等の浸入を抑えることが可能なサッシ取付部材及びサッシユニットを提供することが可能である。
【図面の簡単な説明】
【００１４】
【図１】第１実施形態に係るサッシユニットの縦断面図である。
【図２】第１実施形態に係るサッシユニットの横断面図である。
【図３】第１実施形態に係るサッシユニットを説明するための斜視図である。
【図４】第２実施形態に係るサッシユニットの縦断面図である。
【図５】第２実施形態に係るサッシユニットの横断面図である。
【図６】第２実施形態に係るサッシユニットを説明するための斜視図である。
【図７】第２実施形態に係るサッシ取付部材の変形例を示す縦断面図である。
【図８】水周りに使用する下枠を説明するための縦断面図である。
【発明を実施するための形態】
【００１５】
以下、本発明の第１実施形態に係るサッシ取付部材及びサッシユニットについて図面を参照して説明する。
【００１６】
第１実施形態のサッシユニット１は、図１〜図３に示すように、例えば、建物の屋内外を連通する開口５を形成する躯体７に取り付けられるサッシ取付部材１０と、サッシ取付部材１０を介して躯体７に取り付けられるサッシ２０と、サッシ取付部材に嵌合されるカバー部材５０と、を有している。開口５を形成する躯体７の屋外側には、外壁を構成する外壁構成部材３０が設けられている。
【００１７】
以下の説明においては、建物等に取り付けられた状態のサッシユニット１を屋外側から見たときに、上下となる方向を上下方向、左右となる方向を左右方向または見付け方向、屋内外方向である奥行き方向を見込み方向として示す。また、サッシユニットが備える各部材は、単体の状態であっても建物に取り付けられた状態で上下方向、見付け方向、見込み方向等となる方向にて方向を特定して説明する。
【００１８】
外壁構成部材３０は、最も屋外側に設けられる外壁パネル３１と、外壁パネル３１の内側に設けられる下地パネル材３２と、躯体７下地パネル材３２との間に空隙を形成するための下地部材３３と、下地パネル材３２の端部側に充填されて止水するシール部材３４及びバックアップ材３５とを有している。
【００１９】
サッシ２０は、矩形状に枠組みされた枠体２１と、枠体２１に取り付けられて枠体２１の内側を閉塞可能な２枚の障子２８、２９を備えた引き違いサッシである。このため、枠組みされた枠体２１の内側には、屋内側に内障子２８の端部を収容する内障子収容部２１ａと外障子２９の端部が収容される外障子収容部２１ｂが設けられている。
【００２０】
枠体２１は、上下に配置される横枠２２と左右に配置される縦枠２４とを有し、上側の横枠２２と左右の縦枠２４とは、ほぼ同一の断面形状をなしている。上側の横枠２２及び左右の縦枠２４は、複数の中空部分が見込み方向に繋がった枠本体部２２ａ、２４ａと、開口５の内周側から躯体７に当接されてビス止めされる内側固定部２２ｂ、２４ｂと、枠本体部２２ａ、２４ａから開口５の外周側に突出されて屋外側からサッシ取付部材１０にビス止めされる固定片２２ｃ、２４ｃと、を有している。下側の横枠２２は、２枚の障子２８、２９を支持するレール支持部２４ｄと、補強部材３８が固定される固定部２４ｅを有する点が相違している。
【００２１】
そして、各横枠２２と各縦枠２４とは、内側固定部２２ｂ、２４ｂと、固定片２２ｃ、２４ｃとが、ほぼＬ字状をなして、躯体７の屋外側の面と開口５の内側の面とほぼ平行に配置されるように構成されている。
【００２２】
各横枠２２及び各縦枠２４と外壁構成部材３０との間には、それぞれサッシ取付部材１０が設けられている。
【００２３】
上側の横枠２２及び左右の縦枠２４との外壁構成部材３０との間に設けられたサッシ取付部材１０は、同一の断面形状をなす押し出し成形部材なので、ここでは、右側の縦枠２４と外壁構成部材３０との間に設けられたサッシ取付部材１０を例に挙げて説明する。
【００２４】
右側の縦枠２４と外壁構成部材３０との間に設けられたサッシ取付部材１０は、見付け方向に間隔を隔てて対面する２つの壁部１１と、２つの壁部１１の屋内側の端部を繋ぐ屋内側連結部１０ａと、２つの壁部１１納ｃｈの開口５側の壁部１１から開口５側に突出されて縦枠２４の固定片２４ｃと躯体７との間に介在されるサッシ固定部としての開口側ヒレ部１２と、２つの壁部１１のうちの、開口５の外周側の壁部１１から開口側ヒレ部１２とは反対側に延出された外壁側片としての外周側ヒレ部１３と、２つの壁部１１の見込み方向における中央より屋外側にて２つの壁部１１間を連結する屋外側連結部１４と、屋外側連結部１４より屋外側にて、互いに対向する側に突出されカバー部材５０が嵌合される嵌合突起１５と、を有している。
【００２５】
壁部１１は、外壁パネル３１の表面より僅かに屋外側に延出されており、嵌合突起１５は、壁部１１の端部側に設けられている。
【００２６】
外周側ヒレ部１３は、開口側ヒレ部１２より躯体７に近接させて設けられており、躯体７に直接ビス６４にて固定される。外周側ヒレ部１３は、ビス６４にて固定されると、その上から外周側ヒレ部１３と躯体７とに跨って防水テープ１９が貼着される。防水テープ１９が貼着された上に下地部材３３が設けられる。すなわち、外周側ヒレ部１３は躯体７と下地部材３３との間に配置される。このため下地部材３３には、外周側ヒレ部１３が躯体７と下地部材３３との間に入り込むための切り欠き部３３ａが設けられている。
【００２７】
開口側ヒレ部１２の開口５側の先端部は、屋内側に突出する突出部１２ａが設けられており、開口側ヒレ部１２が取り付けられた際には、突出部１２ａが躯体７に当接されて、開口側ヒレ部１２と躯体７との間に空隙が形成されている。この空隙は、開口側ヒレ部１２の屋外側から縦枠２４の固定片２４ｃが当接されて屋外側から締め込まれたビス６０の先端側が突出する空間となる。
【００２８】
下側の横枠２２と外壁構成部材３０との間に設けられるサッシ取付部材１０も他のサッシ取付部材１０とほぼ同形状であるが、サッシ取付部材１０を取り付けた際に、上側に位置する壁部１１ａが、屋外側に向かって下方に傾斜している点で相違している。ここで、２つの壁部１１、屋内側連結部１０ａ、屋外側連結部１４が繋がった部位が本体部に相当する。
【００２９】
カバー部材５０は、見付け方向において、サッシ取付部材１０の開口側ヒレ部１２と外周側ヒレ部１３の幅とほぼ同じ幅を有する平板状の外面板部５１と、外面板部５１から屋内側に突出されてサッシ取付部材１０の嵌合突起１５と嵌合される一対のフック部５２と、外面板部５１の開口側に設けられてシール部材５５が取り付けられるシール取付部５３とを有している。カバー部材５０は、シール取付部５３にシール部材５５が取り付けられて、フック部５２がサッシ取付部材１０の嵌合突起１５に嵌合されると、シール部材５５の先端が縦枠２４の枠本体部２４ａに当接して、開口側ヒレ部１２と固定片２４ｃ及び開口側ヒレ部１２と固定片２４ｃとを固定するビス６０を覆うとともに、開口の外周側に位置する壁部１１と外壁パネル３１との接合部分をも覆うように構成されている。
【００３０】
第１実施形態のサッシユニット１の取り付けは、まず、外壁構成部材３０が施工される前に、サッシ取付部材１０が躯体７に固定される。このとき、サッシ取付部材１０は、外周側ヒレ部１３を貫通するビス６４にて躯体７に固定され、防水テープ１９が、固定された外周側ヒレ部１３と躯体７とに跨って貼着される。
【００３１】
防水テープ１９が貼着された上から下地部材３３、下地パネル材３２が順に取り付けられ、下地パネル材３２の開口側の端部とサッシ取付部材１０の壁部１１との間を埋めるように、バックアップ材３５及びシール部材３４を充填する。その後、外壁パネル３１を、その端部を取付部材１０の壁部１１に当接させて取り付ける。
【００３２】
次に、サッシ２０の枠組みされた枠体２１を、開口５の内側に嵌め込み、開口５の内周側からビス６１にて内側固定部２２ｂ、２４ｂを躯体７に固定する。このとき、上側の横枠２２と左右の縦枠２４とは、内障子収容部２１ａにて開口５の内周側からビス６１にて固定され、下側の横枠２２は、内側固定部２２ｂの内障子収容部２１ａより屋内側に突出された部位にてビス６１にて固定される。枠体２１が、内障子収容部２１ａにて躯体７に取り付けられた状態では、サッシ取付部材１０の開口側ヒレ部１２に枠体２１の固定片２２ｃ、２４ｃが当接されているので、屋外側からサッシ取付部材１０の壁部１１と枠体２１の間にビス６０を挿入して、開口側ヒレ部１２と固定片２２ｃ、２４ｃとを固定する。このとき下側の横枠２２には、枠体２１の倒れを防止するための補強部材３８が取り付けられている。
【００３３】
最後に、カバー部材５０のフック部５２を嵌合突起１５に嵌合させてカバー部材５０をサッシ取付部材１０に取り付ける。
【００３４】
第１実施形態のサッシユニットによれば、躯体７の屋外側に設けられた外壁構成部材３０と躯体７との間に介在される外壁側片としての外周側ヒレ部１３が、外壁パネル３１と隣接して配置されるとともに外壁パネル３１より屋外側に突出された壁部１１を有するので、外壁パネル３１の開口５側の端部は、壁部１１、１１ａにより覆われて外部から見えにくくなる。このため、サッシ取付部材１０を介してサッシ２０が取り付けられた開口５とサッシ取付部材１０との境界部分の納まりが綺麗である。
【００３５】
また、躯体７の屋外側に設けられた下地部材３３と躯体７との間に介在される外周側ヒレ部１３が、外壁構成部材３０と隣接して配置されるとともに外壁構成部材３０より屋外側に突出された壁部１１と繋がっているので、壁部１１と外壁構成部材３０との間を浸入する水等が躯体７に至ることを抑えることが可能である。このため、サッシ２０の納まりが綺麗であり、かつ、雨水等の浸入を抑えることが可能なサッシ取付部材１０及びサッシユニット１を提供することが可能である。
【００３６】
また、外周側ヒレ部１３と躯体７とに跨って、屋外側から防水テープ１９が貼着されているので、サッシ取付部材１０に沿って水等が躯体７側に浸入することをさらに防止することが可能である。
【００３７】
また、サッシ２０が屋外側からビス６０にて固定されるサッシ固定部としての開口側ヒレ部１２は壁部１１、１１ａから開口５側に突出されているので、カバー部材５０を取り外すことによりサッシ２０を単体で屋外側から容易に着脱することが可能である。
【００３８】
第２実施形態のサッシユニット７０は、サッシ取付部材７２及びカバー部材８０が第１実施形態のサッシユニット１と相違する。以下の説明において、第１実施形態と同様の部位及び部材については同符号を付して説明を省略する。
【００３９】
第２実施形態のサッシユニット７０が有するサッシ取付部材７２も、図４〜図６に示すように、上側の横枠２２及び左右の縦枠２４と外壁構成部材３０との間に設けられたサッシ取付部材７２は、同一の断面形状をなす押し出し成形部材なので、ここでは、右側の縦枠２４と外壁構成部材３０との間に設けられたサッシ取付部材７２を例に挙げて説明する。
【００４０】
サッシ取付部材７２は、見付け方向に間隔を隔てて対面する２つの壁部７３と、２つの壁部７３のうちの、開口５の外周側の壁部７３から開口５の外周側に延出された外壁側片としての外周側ヒレ部７４と、２つの壁部７３の見込み方向における中央より屋外側にて２つの壁部７３間を連結する連結部７５と、連結部７５より屋外側にて、互いに対向する側に突出されカバー部材８０が嵌合される嵌合突起７７と、を有している。
【００４１】
外周側ヒレ部７４は、２つの壁部７３のうちの、開口５の外周側の壁部７３が開口５側の壁部７３より屋内側に突出されており、突出された先端から延出されている外周側ヒレ部７４は、躯体７に当接されている。開口５側の壁部７３の屋外側の端部は、躯体７とほぼ平行に配置される躯体対向部７６にて開口５の外周側の壁部７３と繋がっている。このため、サッシ取付部材７２の外周側ヒレ部７４が躯体に当接されると、躯体対向部７６と躯体７との間には空隙が形成される。また、躯体対向部７６には屋内側に突出する突起７６ａが設けられており、隣接する縦枠２４の固定片２４ｃの先端が当接されて位置決めされる。
【００４２】
下側の横枠２２と外壁構成部材３０との間に設けられたサッシ取付部材７２は、他のサッシ取付部材７２と同様に、２つの壁部７３と、２つの壁部７３間を連結する連結部７５と、連結部７５より屋外側にて互いに対向する側に突出された嵌合突起７７と、を有しているが、躯体７に取り付けられた際に上側に位置する壁部７３ａは屋外側に向かって下方に傾斜している。
【００４３】
また、２つの壁部７３、７３ａは、屋内側の端部側が、躯体７とほぼ平行に配置される躯体対向部７６にて繋がっており、躯体対向部７６は、上側の壁部７３ａの上方に延出され、下側の壁部７３より下方に延出されている。上方に延出された上延出部７６ｂは、躯体７と下側の横枠２２の固定片２２ｃとの間に介在される。上延出部７６ｂの上端側には、屋外側に突出して固定片２２ｃと接触する接触突起７６ｃが設けられており、上側の壁部７３ａの屋内側に設けられ上方に突出された係合片７３ｂに係合された固定片２２ｃを支持している。下側に延出された下延出部７６ｄは、他のサッシ取付部材７２に設けられた外周側ヒレ部７４とほぼ同形状である。
【００４４】
また、上側の壁部７３ａの屋外側の端部には上方に延出された鉛直壁部７３ｃが設けられており、下側の横枠２２の固定片２２ｃと係合片７３ｂとの係合部分を覆っている。ここで、２つの壁部７３、連結部７５、躯体対向部７６が繋がった部位が本体部に相当する。
【００４５】
カバー部材８０は、見付け方向において、サッシ取付部材７２の２つの壁部７３の間を覆うとともに、開口５側の外周側に突出するように形成された平板状の外面板部８１と、外面板部８１から屋内側に突出されてサッシ取付部材７２の嵌合突起７７と嵌合される一対のフック部８２と、を有している。
【００４６】
第２実施形態のサッシユニット７０は、予め、サッシ２０の上側の横枠２２及び左右の縦枠２４が有する固定片２２ｃ、２４ｃにサッシ取付部材７２の躯体対向部７６を屋外側から当接させて屋内側からビス６３にて固定しておく。
【００４７】
そして、外壁構成部材３０のうち、下地部材３３、下地パネル材３２、外壁パネル３１が順に躯体７に取り付けられた後に、まず、下側のサッシ取付部材７２を躯体７にビス６２にて取り付ける。その後、下側の横枠２２が有する固定片２２ｃを、下側のサッシ取付部材７２が有する係合片７３ｂに係合させつつ、３つのサッシ取付部材７２が取り付けられた状態の枠体２１を躯体７に取り付けられる。このとき、下地部材３３、下地パネル材３２、外壁パネル３１は、開口５を形成する躯体７が開口５の縁に露出するように配置されており、サッシユニット７０は、開口５の縁に露出した躯体７に、外周側ヒレ部７４が当接されて、開口５の内周側から枠体２１が躯体７にビス６１にて固定される。また、このとき、上側の横枠２２と左右の縦枠２４とは、内障子収容部２１ａにて開口５の内周側からビス６１にて固定され、下側の横枠２２は、内側固定部２２ｂの内障子収容部２１ａより屋内側に突出された部位にて固定される。
【００４８】
次に、屋外側から、２つの壁部７３、７３ａの間にて、連結部７５に設けられた貫通孔（不図示）を貫通させたビス６２にて、サッシ取付部材７２の躯体対向部７６と枠体２１の固定片２２ｃ、２４ｃとを躯体７に固定する。その後、各サッシ取付部材７２と下地部材３３、下地パネル材３２、外壁パネル３１との間を埋めるように、バックアップ材３５及びシール部材３４を充填する。
【００４９】
最後に、カバー部材８０のフック部８２を嵌合突起７７に嵌合させてカバー部材８０をサッシ取付部材７２に取り付ける。カバー部材８０が取り付けられると、シール部材３４が外面板部８１に覆われて、屋外側から見えにくくなる。
【００５０】
第２実施形態のサッシユニット７０によれば、サッシ２０にサッシ取付部材７２に予め固定されて、サッシ２０とサッシ取付部材７２とが一体となった状態で、サッシ取付部材７２が躯体７に固定されているので、屋外側からサッシ取付部材７２を取り外すことにより、サッシ取付部材７２とともにサッシ２０をも取り外すことが可能である。このとき、カバー部材８０は、サッシ取付部材７２に嵌合されているので、容易に取り外すことが可能であり、カバー部材８０を取り外すことによりシール部材３４を露出させることが可能である。
【００５１】
そして、第２実施形態のサッシ取付部材７２は、外壁構成部材３０のうち、バックアップ材３５及びシール部材３４と躯体７との間に介在されているので、バックアップ材３５及びシール部材３４を剥がすことにより、サッシ取付部材７２全体を屋外側に対して露出させることが可能である。このため、サッシユニット７０を取り外す際には、下地部材３３、下地パネル材３２、外壁パネル３１を剥がす必要がないので、サッシユニット７０の取り外し、及び、取り替えなどの施工を短時間に、かつ、容易に行うことが可能である。
【００５２】
上記第２実施形態のサッシユニット７０は、サッシ取付部材７２と枠体２１とをサッシ取付部材７２の２つの壁部７３の間にて屋内側からビス６２にて固定することにより、サッシ取付部材７２と枠体２１とを一体として外すことができるようにサッシユニット７０について説明したが、図７に示すように、開口５側の壁部７３から開口５側に延出させた開口側ヒレ部７８と枠体２１の固定片２２ｃ、２４ｃとを屋外側からビス６３にて固定しても構わない。
【００５３】
また、図８に示すように、下側のサッシ取付部材７２においては、２つの壁部７３、７３ａより上方にて、上延出部７６ｂから、下側の横枠２２より屋内側に延出させた水受部７６ｅと、水受部７６ｅを躯体７上に支持する脚部７６ｆと、下側の横枠２２を支持する支持部７６ｇとを備えた構成とすると、例えば結露水などを下側の横枠２２から水受部７６ｅに落とすことが可能である。このとき、水受部７６ｅは、屋内側から下方に傾斜しており、支持部７６ｇ、上延出部７６ｂ、鉛直壁部７３ｃには、見込み方向に貫通する孔部(不図示)を形成しておくと、屋内側の結露水等を屋外側に排出することが可能である。
【００５４】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５５】
１  サッシユニット、５  開口、７  躯体、１０  サッシ取付部材、
１１  壁部、１１ａ  壁部、１２  開口側ヒレ部、１３  外周側ヒレ部、
１９  防水テープ、２０  サッシ、２１  枠体、２２  横枠、２２ｃ  固定片、
２４  縦枠、２４ｃ  固定片、３０  外壁構成部材、３１  外壁パネル、
３２  下地パネル材、３３  下地部材、３４  シール部材、
３５  バックアップ材、６０  ビス、６２  ビス、６３  ビス、
７０  サッシユニット、７２  サッシ取付部材、７３  壁部、７３ａ  壁部、
７４  外周側ヒレ部、７６  躯体対向部、７８  開口側ヒレ部
【図１】
2011106107.tif 000003
【図２】
2011106107.tif 000004
【図３】
2011106107.tif 000005
【図４】
2011106107.tif 000006
【図５】
2011106107.tif 000007
【図６】
2011106107.tif 000008
【図７】
2011106107.tif 000009
【図８】
2011106107.tif 000010